(57)【要約】【課題】小型化を図ることが可能な電子機器を提供する。【解決手段】電子機器は、底壁１９Ａと、底壁１９Ａの周囲から立ち上がる側壁１９Ｂとを有する筐体２０と、筐体２０の内面に形成されるアンテナ１７と筐体２０の内部に収容される電波吸収性を有する部品と、を具備する。電波吸収性を有する部品は、筐体２０の側壁１９Ｂとの間に、所定の隙間Ｄを保持して配置される。アンテナ１７の少なくとも一部は、筐体２０の側壁１９Ｂの内面に密着して形成される。【選択図】図２
2009135587.tif 000002
【特許請求の範囲】
【請求項１】
底壁と、前記底壁の周囲から立ち上がる側壁とを有する筐体と、
前記筐体の内面に設けられたアンテナと、
前記筐体の内部に収容された電波吸収性を有する部品と、
を具備し、
前記電波吸収性を有する部品は、前記筐体の側壁との間に所定の隙間を保持して配置されており、
前記アンテナの少なくとも一部は、前記筐体の側壁の内面に密着していることを特徴とする電子機器。
【請求項２】
前記アンテナは、
前記側壁の内面に密着したアンテナエレメントと、
前記底壁の内面に密着したアンテナグランドと、
を有することを特徴とする請求項１に記載の電子機器。
【請求項３】
前記筐体の内部に収容された無線モジュールと、
前記アンテナと前記無線モジュールとを接続する配線と、を具備し、
前記配線の少なくとも一部は、前記筐体の側壁および底壁に密着していることを特徴とする請求項２に記載の電子機器。
【請求項４】
前記アンテナ、および前記配線の少なくとも一部は、前記筐体の内面に対する印刷によって形成されることを特徴とする請求項３に記載の電子機器。
【請求項５】
前記筐体は、
前記無線モジュールを収容する本体キャビネットと、
前記底壁と、前記底壁の周囲から立ち上がる側壁とを有するとともに、ディスプレイを収容するディスプレイキャビネットと、
を含み、
前記電波吸収性を有する部品は、前記ディスプレイであり、
前記アンテナは、前記ディスプレイキャビネットの内面に形成されることを特徴とする請求項４に記載の電子機器。
【請求項６】
前記ディスプレイキャビネットは、
前記ディスプレイの前面に対応して配置するマスクと、
前記底壁および前記側壁を有するとともに、前記ディスプレイの背面に対応して配置するカバーと、
を有する請求項５に記載の電子機器。
【請求項７】
前記筐体は、前記無線モジュールと、ディスプレイと、前記電波吸収性を有する部品と、をまとめて収容するとともに、
前記電波吸収性を有する部品は、ディスク状の記録媒体にデータを読み書きすることが可能なディスク装置であることを特徴とする請求項４に記載の電子機器。
【請求項８】
前記筐体は、
天壁を有する第１の部分と、
前記天壁に対向している前記底壁と、前記側壁とを有する第２の部分と、
を有することを特徴とする請求項７に記載の電子機器。
【発明の詳細な説明】
【技術分野】
【０００１】
本発明は、無線通信に用いられるアンテナを備えた電子機器に関する。
【背景技術】
【０００２】
例えば、それぞれ異なる偏波に対応する２つのアンテナを備えた複合アンテナが開示されている。この複合アンテナは、パッチアンテナが設けられた基板と、基板の上方に覆い被されるカバーと、カバーの外面に印刷されたアンテナパターンと、を有している。カバーは、方形の碗を逆さにした形状をなしている。
【０００３】
この複合アンテナでは、パッチアンテナは、カバーの内側に収容されている。また、アンテナパターンは、カバーの上壁および側壁の外面に形成されている（例えば、特許文献１参照）。
【特許文献１】特開２００５−１６７９１１号公報
【発明の開示】
【発明が解決しようとする課題】
【０００４】
しかしながら、上記従来の複合アンテナでは、アンテナパターンが筐体の上壁に形成されている。このため、アンテナパターンとパッチアンテナとの間で電波の干渉を生ずること防止するために、これらの間に所定長の隙間を設ける必要がある。このため、カバーの高さを高くする必要があり、複合アンテナの大型化を生じている。
【０００５】
本発明の目的は、小型化を図ることが可能な電子機器を提供することにある。
【課題を解決するための手段】
【０００６】
前記目的を達成するため、本発明の一つの形態に係る電子機器は、底壁と、前記底壁の周囲から立ち上がる側壁とを有する筐体と、前記筐体の内面に形成されるアンテナと前記筐体の内部に収容される電波吸収性を有する部品と、を具備し、前記電波吸収性を有する部品は、前記筐体の側壁との間に所定の隙間を保持して配置されており、前記アンテナの少なくとも一部は、前記筐体の側壁の内面に密着して形成される。
【発明の効果】
【０００７】
本発明によれば、小型化を図ることが可能な電子機器を提供できる。
【発明を実施するための最良の形態】
【０００８】
以下に、図１から図３を参照して、電子機器の実施形態について説明する。本実施形態では、電子機器の一例として、いわゆるノートブック型のパーソナルコンピュータであるポータブルコンピュータに適用した場合を例に説明する。
【０００９】
図１に示すように、ポータブルコンピュータ１１は、本体ユニット１２と、ディスプレイユニット１３と、本体ユニット１２とディスプレイユニット１３との間に設けられるヒンジ部１４と、を備えている。ヒンジ部１４は、ディスプレイユニット１３を回動可能に支持している。ヒンジ部１４によって、ディスプレイユニット１３は、本体ユニット１２に対して閉じている状態と、本体ユニット１２に対して開いている状態との間で回動することができる。
【００１０】
図１から図３に示すように、ディスプレイユニット１３は、ディスプレイキャビネット１５と、ディスプレイキャビネット１５の内部に収納されるディスプレイの一例である液晶ディスプレイ１６と、ディスプレイキャビネット１５の内面に作りこまれた複数のアンテナ１７と、を有している。ディスプレイキャビネット１５は、例えば、合成樹脂によって形成されている。ディスプレイキャビネット１５は、液晶ディスプレイ１６の前面に対応して配置する枠状のマスク１８と、液晶ディスプレイ１６の背面に対応して配置するとともに、底壁１９Ａおよび側壁１９Ｂを含むカバー１９と、を有している。マスク１８は、液晶ディスプレイ１６の前面を外部に露出させるための開口部１８Ａを有している。カバー１９の側壁１９Ｂは、底壁１９Ａの周囲から側壁１９Ｂと直交する方向に立ち上がっている。なお、図２と図３では、説明を簡略化するため、アンテナ１７を１つのみ示している。
【００１１】
本体ユニット１２は、合成樹脂製の本体キャビネット２３と、キーボード２４と、ポインティングデバイスであるタッチパッド２５およびボタン２６と、指紋認証装置２７と、を有している。本体キャビネット２３は、その内面に図示しない導電性のグランド層を有している。図２に示すように、本体ユニット１２は、本体キャビネット２３の内部に、プリント回路板３１と、プリント回路板３１上に実装された複数の電子部品と、無線モジュール３２と、を収容している。本体ユニット１２は、さらに、本体ユニット１２とディスプレイユニット１３とにまたがって配置された配線３３を有している。配線３３は、ディスプレイキャビネット１５の内面に印刷で形成された配線パターン３３Ａと、ヒンジ部１４の内部を通って本体ユニット１２とディスプレイユニット１３の両側にまたがっている同軸ケーブルと、を含んでいる。配線３３は、一方の端部で同軸ケーブルを介して無線モジュール３２に接続されている。また、配線３３は、他方の端部で配線パターン３３Ａを介してアンテナ１７に接続されている。この同軸ケーブルは、ヒンジ部１４の近傍で配線パターン３３Ａに接続されている。同軸ケーブルの直径は、例えば０．８ｍｍである。この配線パターン３３Ａは、アンテナエレメント３４とアンテナグランド３５とを連結する導体部分３６に接続されている。なお、筐体２０は、本体キャビネット２３とディスプレイキャビネット１５とを含んだ概念である。
【００１２】
図３と図４に示すように、アンテナ１７は、ディスプレイキャビネット１５のカバー１９に形成されている。より具体的には、アンテナ１７は、カバー１９の内面に密着した金属被膜として形成されている。アンテナ１７は、主として電磁波の送受信が行われるアンテナエレメント３４と、主として無線周波数を広帯域化するために設置されるアンテナグランド３５と、を有している。アンテナエレメント３４は、複数回直角に折れ曲がるように、そのパターンが形成されている。アンテナエレメント３４は、ディスプレイキャビネット１５のカバー１９の側壁１９Ｂの内面に形成されている。アンテナグランド３５は、方形に塗りつぶされた導体パターンとして形成されている。アンテナグランド３５は、カバー１９の底壁１９Ａの内面に形成されている。
【００１３】
アンテナエレメント３４、アンテナグランド３５、導体部分３６および配線パターン３３Ａは、ディスプレイキャビネット１５のカバー１９の内面に対して、例えば、印刷（スクリーン印刷）を施すことで形成される。アンテナエレメント３４、アンテナグランド３５、および配線パターン３３Ａは、例えば、銅、ニッケル、金の薄膜をスクリーン印刷によって積層したもので形成されており、その厚み寸法は、例えば２０μｍとなっている。もっとも、これらを形成する方法は、スクリーン印刷に限られるものではなく、例えば、スプレー塗装や、真空蒸着法、スパッタリング法、めっき法、およびこれらを組み合わせた方法によって形成することができる。
【００１４】
なお、図３には１つのみ示されているが、ディスプレイキャビネット１５のカバー１９には、複数のアンテナ１７が形成されている。複数のアンテナ１７は、Ｂｌｕｅｔｏｏｔｈ（登録商標）や無線ＬＡＮ、無線ＷＡＮ、ＷｉＭＡＸ、ＵＷＢ、またはＧＰＳのような通信方式、或いは３Ｇや３．５Ｇのような携帯電話方式といった各方式にそれぞれ対応している。また、左右両側の側壁１９Ｂにそれぞれ１つのアンテナパターンを形成して、ダイポールアンテナとして形成してもよい。なお、上記複数のアンテナ１７が対応する通信規格としては、これらに限定されるものではなく、他の規格に対応するものを含んでいてもよい。
【００１５】
本実施形態の液晶ディスプレイ１６は、格子状に配置する複数の金属配線を含んでおり、電波吸収性を有する部品の一例である。液晶ディスプレイ１６は、図２に示すように、ディスプレイキャビネット１５の中央部に寄った位置に配置されている。このため、液晶ディスプレイ１６とカバー１９の側壁１９Ｂとの間には、所定の隙間Ｄが設けられている。したがって、カバー１９の側壁１９Ｂの内面に形成されるアンテナエレメント３４と、液晶ディスプレイ１６との間には、所定の大きさの間隔が確保される。これによって、アンテナ１７から送受信される電波に悪影響が及ぼされることが防止されている。
【００１６】
なお、本実施形態では、カバー１９に側壁１９Ｂが設けられており、この側壁１９Ｂにアンテナ１７のアンテナエレメント３４が形成されているが、マスク１８に側壁が設けられる場合に、この側壁にアンテナエレメント３４を形成するようにしてもよい。また、本実施形態では、ディスプレイキャビネット１５の内面にアンテナ１７を形成するようにしているが、本体キャビネット２３の内面に形成するようにしてもよい。
【００１７】
本実施形態によれば、電子機器は、底壁１９Ａと、底壁１９Ａの周囲から立ち上がる側壁１９Ｂとを有する筐体２０と、筐体２０の内面に設けられたアンテナ１７と、筐体２０の内部に収容された電波吸収性を有する部品と、を具備し、電波吸収性を有する部品は、筐体２０の側壁１９Ｂとの間に所定の隙間Ｄを保持して配置されており、アンテナ１７の少なくとも一部は、筐体２０の側壁１９Ｂの内面に密着している。
【００１８】
この構成によれば、アンテナ１７の一部と電波吸収性を有する部品との間に所定の大きさの隙間Ｄを確保することができ、電波吸収性を有する部品がアンテナ１７の無線通信に悪影響を及ぼすことを防止できる。これにより、筐体２０の底壁１９Ａと電波吸収性のある部品とを近づけて配置したとしても、通信性能に悪影響が出ることが極力防止される。このため、底壁１９Ａと当該部品とを近づけて配置して、ポータブルコンピュータ１１の小型化および薄型化を図ることができる。また、アンテナ１７が筐体２０の内部に配置されるため、アンテナ１７が外部から視認されることがなく、アンテナ１７によって電子機器の美観が損なわれることを防止できる。
【００１９】
この場合、アンテナ１７は、側壁１９Ｂの内面に密着して形成されるアンテナエレメント３４と、底壁１９Ａの内面に密着して形成されるアンテナグランド３５と、を有する。この構成によれば、少なくとも、主として電波の送受信を行うアンテナエレメント３４については、電波吸収性のある部品から間隔をあけて配置することができる。また、設置するためにスペースを要するアンテナグランド３５については、底壁１９Ａの内面に形成することで、各アンテナ１７のレイアウトの自由度を向上させることができる。
【００２０】
この場合、筐体２０の内部に収容される無線モジュール３２と、アンテナ１７と無線モジュール３２とを接続する配線３３と、を具備し、配線３３の少なくとも一部は、筐体２０の側壁１９Ｂおよび底壁１９Ａに密着して形成される。この構成によれば、配線３３の一部を筐体２０の側壁１９Ｂおよび底壁１９Ａに密着して形成できるため、配線３３の設置に要するスペースを小さくすることができる。なお、配線３３は、電波吸収性のある部品との干渉を防止するため、この部品から外れた位置に配線されることが好ましい。
【００２１】
この場合、アンテナ１７および配線３３の少なくとも一部は、筐体２０の内面に対する印刷で形成される。通常、アンテナ１７と無線モジュール３２との電気的な接続は、同軸ケーブルやリード線を用いることが多い。この構成によれば、アンテナ１７および配線３３を、若干の厚みを有する薄膜によって形成することができる。これによって、アンテナ１７および配線３３の設置のためにさらにスペースを要することがなく、空いているスペースにこれらを配置することができる。これにより、筐体２０の小型化を図ることができる。特に、印刷によって形成されたアンテナ１７の厚み寸法は、例えば２０μｍ程度であり、０．８ｍｍの直径を有する同軸ケーブルを複数本配置したものに比べて格段に小型化を図ることができる。
【００２２】
また、この構成によれば、アンテナ１７と配線３３とを一括して形成できるため、これらを設置するための工程を省略することができる。これによって、アンテナ１７および配線３３を簡単に形成することができる。さらに、従来複数の同軸ケーブル同士を固定するためのハーネスとして利用していたテープ等の固定部品や、ディスプレイキャビネット１５に形成される固定用のリブ等が不要となり、部品点数を削減できる。
【００２３】
この場合、筐体２０は、無線モジュール３２を収容する本体キャビネット２３と、底壁１９Ａと、底壁１９Ａの周囲から立ち上がる側壁１９Ｂとを有するとともに、ディスプレイを収容するディスプレイキャビネット１５と、を含み、電波吸収性を有する部品は、ディスプレイであり、アンテナ１７は、ディスプレイキャビネット１５の内面に形成される。
【００２４】
この構成によれば、アンテナ１７の少なくとも一部は、ディスプレイキャビネット１５の側壁１９Ｂの内面に密着して形成される。このため、ディスプレイからアンテナ１７の一部を離して配置することができる。これによって、ディスプレイキャビネット１５の底壁１９Ａと、ディスプレイとの間の距離を近づけて配置するようにしても、無線通信に悪影響を及ぼすことがほとんどない。これにより、ディスプレイキャビネット１５を小型化・薄型化することができ、ポータブルコンピュータ１１全体としても小型化・薄型化を図ることができる。
【００２５】
この場合、ディスプレイキャビネット１５は、ディスプレイの前面に対応して配置するマスク１８と、底壁１９Ａおよび側壁１９Ｂを有するとともに、ディスプレイの背面に対応して配置するカバー１９と、を有する。この構成によれば、カバー１９に対してのみ印刷を施すことで、アンテナエレメント３４およびアンテナグランド３５をそれぞれ形成できるため、アンテナ１７の形成工程を簡略化することができる。また、カバー１９には、マスク１８のように、ディスプレイを外部に露出するための開口部１８Ａを設ける必要がないため、アンテナ１７の設置に十分なスペースを確保することができる。
【００２６】
続いて、図４を参照して、電子機器の第２の実施形態について説明する。第２の実施形態の電子機器の一例であるポータブルコンピュータ４１は、配線４２の構成が第１の実施形態と異なっているが、他の部分は共通している。このため、第１の実施形態と異なる部分について説明し、第１の実施形態と共通する箇所については共通の符号を付して説明を省略する。
【００２７】
第２の実施形態では、配線４２は、本体ユニット１２とディスプレイユニット１３とにまたがって配置されている。配線４２は、同軸ケーブル３３Ｂないしリード線で構成されている。配線４２は、一方の端部で無線モジュール３２に接続されている。また、配線４２は、他方の端部でアンテナ１７に接続されている。配線４２は、アンテナエレメント３４とアンテナグランド３５とを連結する導体部分３６に接続されている。
【００２８】
第２の実施形態によれば、配線４２が同軸ケーブル３３Ｂないしリード線によって形成されるため、印刷によって形成された配線によって信号伝達が電気的に安定しない場合に、無線通信を安定化することができる。
【００２９】
続いて、図５から図７を参照して、電子機器の第３の実施形態について説明する。第３の実施形態の電子機器の一例であるポータブルコンピュータ５１は、キーボードおよびディスプレイユニットがなく、本体ユニットのみで構成されている点で第１の実施形態と異なっているが、他の部分はおおむね共通している。このため、主として第１の実施形態と異なる部分について説明し、第１の実施形態と共通する箇所については共通の符号を付して説明を省略する。
【００３０】
第３の実施形態のポータブルコンピュータ５１は、いわゆるＰＤＡ（personal digital assistant）形の携帯型情報端末である。図５から図７に示すように、ポータブルコンピュータ５１は、本体ユニットのみで構成されており、外郭を構成する筐体５２を備えている。また、ポータブルコンピュータ５１は、筐体５２の内部に、ディスプレイの一例である液晶ディスプレイ１６と、プリント回路板３１と、プリント回路板３１に実装される無線モジュール３２と、ディスク装置５３と、ポータブルコンピュータ５１に情報を入力するためのボタン５６と、外部と接続するためのコネクタ５７と、を有している。筐体５２の内面に、アンテナ１７が形成されている。
【００３１】
筐体５２は、枠状に形成された天壁５４Ａと、天壁５４Ａに対向する底壁５５Ａと、底壁５５Ａの周囲から立ち上がるように形成される側壁５５Ｂと、を有している。筐体５２のうち、天壁５４Ａおよび天壁５４Ａから下方に延びる下垂部５４Ｂを含む第１の部分５４は、底壁５５Ａおよび側壁５５Ｂを含む第２の部分５５に対して取り外すことができる。筐体５２は、さらに、側壁５５Ｂと底壁５５Ａとの間の位置に、底壁５５Ａに対して斜めになった斜壁５５Ｃを有している。筐体５２は、例えば、合成樹脂により形成されている。
【００３２】
アンテナ１７は、カバー１９の内面に密着した金属被膜として形成されている。アンテナ１７は、主として電磁波の送受信を行う部分であるアンテナエレメント３４と、主として無線周波数を広帯域化するために設置されるアンテナグランド３５と、アンテナエレメント３４とアンテナグランド３５とを接続する導体部分３６と、を有している。アンテナエレメント３４、アンテナグランド３５、および導体部分３６は、例えば、銅、ニッケル、金の薄膜をスクリーン印刷によって積層したもので形成されており、その厚み寸法は、例えば２０μｍとなっている。アンテナエレメント３４は、側壁５５Ｂの内面に形成されている。アンテナグランド３５は、底壁５５Ａの内面に形成されている。導体部分３６は、斜壁５５Ｃに形成されている。この導体部分３６に対して、例えば直径８ｍｍの同軸ケーブル３３Ｂで構成される配線３３が接続されている。配線３３は、一方の端部で導体部分３６に接続されている。また、配線３３は、他方の端部で無線モジュール３２に接続されている。
【００３３】
ディスク装置５３は、内蔵するディスク状の記録媒体に対して読み書きを行うことが可能な例えばハードディスク装置で構成されている。ディスク装置５３は、例えば、金属製のシールドケース５３Ａを有している。シールドケース５３Ａは、外部から電波を遮断するとともに、ハードディスク装置の内部から発生する電波が外部に漏れないようにしている。本実施形態において、ディスク装置５３は、電波吸収性を有する部品の一例である。ディスク装置５３と、筐体５２の側壁５５Ｂとの間には、所定の大きさの隙間Ｄが形成されている。なお、ディスク装置５３は、ハードディスク装置に限定されるものではなく、フロッピー（登録商標）ディスクドライブや、ＣＤやＤＶＤなどに対して記録再生を行う光ディスク装置であってもよい。
【００３４】
第３の実施形態によれば、筐体５２は、無線モジュール３２と、ディスプレイと、電波吸収性を有する部品と、をまとめて収容するとともに、電波吸収性の部品は、ディスク状の記録媒体にデータを読み書きするためのディスク装置５３である。この構成によれば、筐体５２の側壁５５Ｂに形成されるアンテナ１７とディスク装置５３との間に間隔を設けることができ、ディスク装置５３がアンテナ１７の無線通信に悪影響を及ぼしてしまうことを防止することができる。また、アンテナ１７は印刷によって薄く形成されているため、アンテナ１７を設置するために大きなスペースを要することがなく、ポータブルコンピュータ５１の小型化を図ることができる。
【００３５】
この場合、筐体５２は、天壁５４Ａを有する第１の部分５４と、天壁５４Ａに対向している底壁５５Ａと、側壁５５Ｂとを有する第２の部分５５と、を有する。この構成によれば、筐体５２の第２の部分５５に対してのみ印刷を施すことでアンテナ１７を一括して形成できるため、アンテナ１７の形成工程を簡略化することができる。
【００３６】
その他、本発明の電子機器は、前記実施の形態に限定されるものではない。本発明の電子機器は、携帯電話機にも適用することができる。このほか、本発明の電子機器は、発明の要旨を逸脱しない範囲で種々変形実施可能であるのは勿論である。
【図面の簡単な説明】
【００３７】
【図１】第１の実施形態に係る電子機器の一例であるポータブルコンピュータを示す斜視図。
【図２】図１に示すポータブルコンピュータのディスプレイユニットをマスクを取り外した状態で示す斜視図。
【図３】図２に示すディスプレイユニットのカバーを示す斜視図。
【図４】第２の実施形態に係るポータブルコンピュータのディスプレイユニットのカバーを示す斜視図。
【図５】第３の実施形態に係るポータブルコンピュータを示す斜視図。
【図６】図５に示すポータブルコンピュータの筐体の第１の部分を取り外した状態で示す斜視図。
【図７】図６に示すポータブルコンピュータのディスク装置を取り外した状態で示す斜視図。
【符号の説明】
【００３８】
１１、４１、５１…ポータブルコンピュータ、１５…ディスプレイキャビネット、１６…液晶ディスプレイ、１７…アンテナ、１８…マスク、１９…カバー、１９Ａ、５５Ａ…底壁、１９Ｂ、５５Ｂ…側壁、２０、５２…筐体、２３…本体キャビネット、３２…無線モジュール、３３、４２…配線、３４…アンテナエレメント、３５…アンテナグランド、３６…導体部分、５３…ディスク装置、５４…第１の部分、５４Ａ…天壁、５５…第２の部分、Ｄ…隙間
【図１】
2009135587.tif 000003
【図２】
2009135587.tif 000004
【図３】
2009135587.tif 000005
【図４】
2009135587.tif 000006
【図５】
2009135587.tif 000007
【図６】
2009135587.tif 000008
【図７】
2009135587.tif 000009
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
底壁と、前記底壁の周囲から立ち上がる側壁とを有する筐体と、
前記筐体の内面に設けられたアンテナと、
前記筐体の内部に収容された電波吸収性を有する部品と、
前記筐体の内部に収容された無線モジュールと、
前記アンテナと前記無線モジュールとを接続する配線と、
を具備し、
前記電波吸収性を有する部品は、前記筐体の側壁との間に所定の隙間を保持して配置されており、
前記アンテナは、
前記側壁の内面に密着したアンテナエレメントと、
前記底壁の内面に密着したアンテナグランドと、
を有する金属被膜であることを特徴とする電子機器。
【請求項２】
前記配線の少なくとも一部は、前記筐体の側壁および底壁に密着していることを特徴とする請求項１に記載の電子機器。
【請求項３】
前記アンテナ、および前記配線の少なくとも一部は、前記筐体の内面に対する印刷によって形成されることを特徴とする請求項２に記載の電子機器。
【請求項４】
前記筐体は、
前記無線モジュールを収容する本体キャビネットと、
前記底壁と、前記底壁の周囲から立ち上がる側壁とを有するとともに、ディスプレイを収容するディスプレイキャビネットと、
を含み、
前記電波吸収性を有する部品は、前記ディスプレイであり、
前記アンテナは、前記ディスプレイキャビネットの内面に形成されることを特徴とする請求項３に記載の電子機器。
【請求項５】
前記ディスプレイキャビネットは、
前記ディスプレイの前面に対応して配置するマスクと、
前記底壁および前記側壁を有するとともに、前記ディスプレイの背面に対応して配置するカバーと、
を有することを特徴とする請求項４に記載の電子機器。
【請求項６】
前記筐体は、前記無線モジュールと、ディスプレイと、前記電波吸収性を有する部品と、をまとめて収容するとともに、
前記電波吸収性を有する部品は、ディスク状の記録媒体にデータを読み書きすることが可能なディスク装置であることを特徴とする請求項３に記載の電子機器。
【請求項７】
前記筐体は、
天壁を有する第１の部分と、
前記天壁に対向している前記底壁と、前記側壁とを有する第２の部分と、
を有することを特徴とする請求項６に記載の電子機器。
【請求項８】
ディスプレイと、
前記ディスプレイを収容するとともに、底壁と、前記ディスプレイと離間して前記底壁周縁部に設けられた側壁と、を有する筐体と、
前記側壁内面に金属被膜を密着して形成されたアンテナエレメントと、前記底壁内面に金属被膜を密着して形成されたアンテナグランドと、を有するアンテナと、
を備えたことを特徴とする電子機器。
【請求項９】
前記アンテナに配線を介して接続された無線モジュールと、
前記無線モジュールを収容した本体ユニットと、
前記ディスプレイが露出する位置と、前記ディスプレイが覆われる位置との間で前記本体ユニットと前記筐体とを回動可能に支持したヒンジ部と、
を更に有することを特徴とする請求項８に記載の電子機器。
【手続補正２】
【補正対象書類名】明細書
【補正対象項目名】０００６
【補正方法】変更
【補正の内容】
【０００６】
前記目的を達成するため、本発明の一つの形態に係る電子機器は、底壁と、前記底壁の周囲から立ち上がる側壁とを有する筐体と、前記筐体の内面に形成されるアンテナと前記筐体の内部に収容される電波吸収性を有する部品と、前記筐体の内部に収容された無線モジュールと、前記アンテナと前記無線モジュールとを接続する配線と、を具備し、前記電波吸収性を有する部品は、前記筐体の側壁との間に所定の隙間を保持して配置されており、前記アンテナは、前記側壁の内面に密着したアンテナエレメントと、前記底壁の内面に密着したアンテナグランドと、を有する金属被膜である。